【手続補正書】
【提出日】平成30年6月18日(2018.6.18)
【手続補正１】
【補正対象書類名】特許請求の範囲
【補正対象項目名】全文
【補正方法】変更
【補正の内容】
【特許請求の範囲】
【請求項１】
ソフトウェア対応アクセスポイント(softAP)モバイルコンピューティングデバイスによる、前記softAPモバイルコンピューティングデバイスによって確立されたローカルエリアネットワーク(LAN)に接続されたクライアントデバイスに対するプレフィックス委譲をサポートするための方法であって、
前記softAPモバイルコンピューティングデバイスのルータ構成モジュールによって、ワイドエリアネットワーク(WAN)へのインターネットプロトコルバージョン6(IPv6)データ接続が確立されているかどうかを決定するステップと、
前記IPv6データ接続が確立されているとの決定に応じて、前記softAPモバイルコンピューティングデバイスの前記ルータ構成モジュールによって、前記クライアントデバイスのリンクローカルアドレスおよびクライアントデバイス識別子に基づいてルータ要請メッセージを生成するステップと、
前記生成されたルータ要請メッセージを前記softAPモバイルコンピューティングデバイスの前記ルータ構成モジュールから前記softAPモバイルコンピューティングデバイスのIPv6アドレス管理モジュールに送るステップと、
前記softAPモバイルコンピューティングデバイスの前記IPv6アドレス管理モジュールによって、受信された前記ルータ要請メッセージに基づいて、利用可能なプレフィックスのプールの非割当てプレフィックスを前記クライアントデバイスに割り当てるステップと
を含む、方法。
【請求項２】
ソフトウェア対応アクセスポイント(softAP)モバイルコンピューティングデバイスによる、前記softAPモバイルコンピューティングデバイスによって確立されたローカルエリアネットワーク(LAN)に接続されたクライアントデバイスに対するプレフィックス委譲をサポートするための方法であって、
前記softAPモバイルコンピューティングデバイスのルータ構成モジュールによって、インターネットプロトコルバージョン6(IPv6)データ接続が確立されているかどうかを決定するステップと、
前記IPv6データ接続が確立されているとの決定に応じて、リンクローカルアドレスおよびクライアントデバイス識別子を前記softAPモバイルコンピューティングデバイスの前記ルータ構成モジュールから前記softAPモバイルコンピューティングデバイスのIPv6アドレス管理モジュールに送るステップと、
前記softAPモバイルコンピューティングデバイスの前記IPv6アドレス管理モジュールによって、受信された前記リンクローカルアドレスおよび前記クライアントデバイス識別子に基づいて、利用可能なプレフィックスのプールの非割当てプレフィックスを前記クライアントデバイスに割り当てるステップと
を含む、方法。
【請求項３】
ソフトウェア対応アクセスポイント(softAP)モバイルコンピューティングデバイスによる、前記softAPモバイルコンピューティングデバイスによって確立されたローカルエリアネットワーク(LAN)に接続されたクライアントデバイスに対するプレフィックス委譲をサポートするための方法であって、
前記softAPモバイルコンピューティングデバイスのルータ構成モジュールによって、インターネットプロトコルバージョン6(IPv6)データ接続が確立されているかどうかを決定するステップと、
前記IPv6データ接続が確立されているとの決定に応じて、前記softAPモバイルコンピューティングデバイスの前記ルータ構成モジュールによって、前記LANのすべての接続を終了するステップと
を含み、
前記クライアントデバイスが、前記LAN接続の終了に応じて、前記softAPモバイルコンピューティングデバイスに対する新しいLAN接続を確立し、前記新しいLAN接続の確立に応じて、前記クライアントデバイスのリンクローカルアドレスおよびクライアントデバイス識別子に基づいてルータ要請メッセージを生成し、前記生成されたルータ要請メッセージを、前記クライアントデバイスから、受信された前記ルータ要請メッセージに基づいて利用可能なプレフィックスのプールの非割当てプレフィックスを前記クライアントデバイスに割り当てるように構成された前記softAPモバイルコンピューティングデバイスのIPv6アドレス管理モジュールに送るように構成される、方法。
【請求項４】
前記softAPモバイルコンピューティングデバイスによって前記IPv6データ接続を確立するステップをさらに含み、
前記softAPモバイルコンピューティングデバイスがネットワークリソースからショートプレフィックスを受信し、
利用可能なプレフィックスの前記プールが前記ショートプレフィックスに基づく、請求項1から3のいずれか一項に記載の方法。
【請求項５】
前記softAPモバイルコンピューティングデバイスによって、前記割り当てられたプレフィックスを使用して、前記データ接続と前記クライアントデバイスとの間でトラフィックをルーティングするステップをさらに含む、請求項4に記載の方法。
【請求項６】
前記ショートプレフィックスが56ビット長であり、利用可能なプレフィックスの前記プール内の各々が64ビット長である、請求項5に記載の方法。
【請求項７】
前記softAPモバイルコンピューティングデバイスの前記ルータ構成モジュールにおいて、前記リンクローカルアドレスおよび前記クライアントデバイス識別子を含むNEW_NEIGHイベントまたは近隣広告を受信するステップと、
前記リンクローカルアドレスおよび前記クライアントデバイス識別子を前記softAPモバイルコンピューティングデバイスのメモリ内に記憶するステップと
をさらに含む、請求項1から3のいずれか一項に記載の方法。
【請求項８】
ルータ要請メッセージがルータ要請パケットである、請求項1から3のいずれか一項に記載の方法。
【請求項９】
前記割り当てられたプレフィックスを含むルータ広告を前記softAPモバイルコンピューティングデバイスの前記IPv6アドレス管理モジュールから前記クライアントデバイスに送るステップであって、前記クライアントデバイスが、前記ルータ広告の受信に応じて、前記割り当てられたプレフィックスに基づいて一意のIPv6グローバルアドレスを生成する、送るステップ
をさらに含む、請求項1から3のいずれか一項に記載の方法。
【請求項１０】
前記ルータ広告がルータ広告パケットである、請求項9に記載の方法。
【請求項１１】
前記リンクローカルアドレスがリンクローカルIPv6アドレスであり、前記クライアントデバイス識別子がMAC IDである、請求項1から3のいずれか一項に記載の方法。
【請求項１２】
ソフトウェア対応アクセスポイント(softAP)モバイルコンピューティングデバイスであって、前記softAPモバイルコンピューティングデバイスによって確立されたローカルエリアネットワーク(LAN)に接続されたクライアントデバイスに対する、前記softAPモバイルコンピューティングデバイスによるプレフィックス委譲のための動作を実行するようにプロセッサ実行可能命令で構成されたプロセッサを備え、前記動作が、
ワイドエリアネットワーク(WAN)へのインターネットプロトコルバージョン6(IPv6)データ接続が確立されているかどうかを決定することと、
前記IPv6データ接続が確立されているとの決定に応じて、クライアントデバイスのリンクローカルアドレスおよびクライアントデバイス識別子に基づいてルータ要請メッセージを生成することと、
前記生成されたルータ要請メッセージを前記softAPモバイルコンピューティングデバイスのIPv6アドレス管理モジュールに送ることと、
受信された前記ルータ要請メッセージに基づいて、利用可能なプレフィックスのプールの非割当てプレフィックスを前記クライアントデバイスに割り当てることと、
前記IPv6プレフィックスを前記クライアントデバイスに送ることと
を含む、モバイルコンピューティングデバイス。
【請求項１３】
前記プロセッサが、前記IPv6データ接続を確立することであって、
前記プロセッサがネットワークリソースからショートプレフィックスを受信し、
利用可能なプレフィックスの前記プールが前記ショートプレフィックスに基づく、
確立することと、
前記割り当てられたプレフィックスを使用して、前記データ接続と前記クライアントデバイスとの間のトラフィックをルーティングすることと
をさらに含む動作を実行するためのプロセッサ実行可能命令で構成される、請求項12に記載のモバイルコンピューティングデバイス。
【請求項１４】
前記プロセッサが、
前記リンクローカルアドレスおよび前記クライアントデバイス識別子を含むNEW_NEIGHイベントまたは近隣広告を受信することと、
前記リンクローカルアドレスおよび前記クライアントデバイス識別子をメモリ内に記憶することと
をさらに含む動作を実行するためのプロセッサ実行可能命令で構成される、請求項12に記載のモバイルコンピューティングデバイス。
【請求項１５】
プロセッサにより実行されるときに、前記プロセッサに請求項１から11のいずれか一項に記載の方法を実行させる命令を含むコンピュータ可読記録媒体。